(57)【要約】【課題】  シャッタ部材を備えたディスクカートリッジとシャッタ部材を備えることなく構成されたディスクカートリッジのいずれをも安定した装着を実現する。【解決手段】  シャッタ部材１１５を備えた第１のディスクカートリッジ１０１と、シャッタ部材を備えない第２のディスクカートリッジ２０１が選択的に装着され、カートリッジホルダ２に第１のディスクカートリッジ１０１が装着されたときには、シャッタ部材１１５の移動を規制するシャッタ部材支持機構５により第１のディスクカートリッジを押圧支持し、第２のディスクカートリッジ２０１がカートリッジホルダ２に装着されたときには、負荷付与機構１０から負荷を与えて押圧支持する。【選択図】  図７
2006172520.tif 000002
【特許請求の範囲】
【請求項１】
ディスク状記録媒体を回転可能に収納され、上記ディスク状記録媒体の一部を内外周に亘って外方に臨ませる記録及び／又は再生用開口部が、当該ディスク記録及び／又は再生装置への挿入方向と平行な一の側面側から中央部に向かって形成されたカートリッジ本体と、上記カートリッジ本体に移動可能に支持されて上記記録及び／又は再生用開口部を開閉するシャッタ部材とを備える第１のディスクカートリッジと、ディスク状記録媒体を回転可能に収納するとともに、上記ディスク状記録媒体の一部を内外周に亘って外方に臨ませる記録及び／又は再生用開口部が当該ディスク記録及び／又は再生装置への挿入方向と平行な一の側面側から中央部に向かって形成されたカートリッジ本体を備える第２のディスクカートリッジとが選択的に装着されるカートリッジホルダを備えるディスク記録及び／又は再生装置において、
上記カートリッジホルダに上記第１のディスクカートリッジが装着されたときには、上記シャッタ部材を押圧支持し、上記シャッタ部材の移動を規制するシャッタ部材支持機構と、
上記カートリッジホルダに上記第２のディスクカートリッジが装着されたとき、上記第２のディスクカートリッジを押圧して上記第２のディスクカートリッジに負荷を与える負荷付与機構と、
上記シャッタ部材支持機構に関連され、上記カートリッジホルダに上記第１のディスクカートリッジが挿入されたときには、上記シャッタ部材支持機構の変位により移動操作されて上記負荷付与機構を変位させて上記第１のディスクカートリッジに付与される負荷を解除し、上記カートリッジホルダに第２のディスクカートリッジが挿入されたときには、上記負荷付与機構による負荷を上記第２のディスクカートリッジに付与させる負荷付与制御機構と
を備えることを特徴とするディスク記録及び／又は再生装置。
【請求項２】
上記シャッタ部材支持機構は、上記カートリッジホルダに挿入される上記第１のディスクカートリッジに設けたシャッタ部材により弾性変位され、上記第１のディスクカートリッジを押圧支持することを特徴とする請求項１記載のディスク記録及び／又は再生装置。
【請求項３】
上記シャッタ部材支持機構は、弾性部材からなるシャッタ部材支持片を有し、上記シャッタ部材支持片は、上記カートリッジホルダに挿入されるディスクカートリッジにより押圧されて、上記ディスクカートリッジから離間する方向に弾性変位されることを特徴とする請求項１記載のディスク記録及び／又は再生装置。
【請求項４】
上記シャッタ部材支持片は、上記カートリッジホルダに挿入される第１のディスクカートリッジに設けたシャッタ部材上に乗り上げて弾性変位され、上記シャッタ部材への係合により弾性復帰することを特徴とする請求項２記載のディスク記録及び／又は再生装置。
【請求項５】
上記シャッタ部材支持機構と上記負荷付与機構は、上記カートリッジホルダの一方の側及び他方の側にそれぞれ位置して設けられていることを特徴とする請求項１記載のディスク記録及び／又は再生装置。
【請求項６】
上記負荷付与制御機構は、上記カートリッジホルダに挿入される第１又は第２のディスクカートリッジに応じて変位量を異にする上記シャッタ部材支持機構の変位量に応じて移動量が制御され、上記カートリッジホルダに挿入される第１又は第２のディスクカートリッジに付与される負荷を制御することを特徴とする請求項１記載のディスク記録及び／又は再生装置。
【請求項７】
上記負荷付与制御機構は、上記カートリッジホルダに挿入される第１又は第２のディスクカートリッジに応じて変位量を異にする上記シャッタ部材支持機構の変位量に応じて移動位置が制御され、上記第１又は第２のディスクカートリッジの上記カートリッジホルダへの挿入操作中、上記移動された位置に固定されることを特徴とする請求項１記載のディスク記録及び／又は再生装置。
【請求項８】
上記第１のディスクカートリッジには、上記シャッタ部材が上記記録及び／又は再生用開口部を閉塞した位置にあるとき、上記シャッタ部材に設けた係合孔に係合して上記シャッタ部材を上記記録及び／又は再生用開口部を閉塞した位置にロックするシャッタロック機構を備え、
上記シャッタロック機構は、上記第１のディスクカートリッジが上記カートリッジホルダに挿入されたとき、上記係合孔に係合する上記シャッタ部材支持機構により変位されて上記シャッタ部材への係合を解除し、上記シャッタ部材の上記カートリッジ本体に対する移動を可能とする請求項１記載のディスク記録及び／又は再生装置。
【請求項９】
上記カートリッジホルダに、上下面を反転して上記第１又は第２のディスクカートリッジが誤挿入されたとき、上記シャッタ部材支持機構が上記第１のディスクカートリッジに設けたシャッタ部材により変位され、上記シャッタ部材への係合により初期位置側に復帰する位置に対応して、上記誤挿入される上記第１又は第２のディスクカートリッジの上記カートリッジホルダへの更なる挿入を規制する挿入規制部を備えることを特徴とする請求項２記載のディスク記録及び／又は再生装置。
【発明の詳細な説明】
【技術分野】
【０００１】
本発明は、光ディスク等のディスク状記録媒体を収納したディスクカートリッジが装着されるディスク記録及び／又は再生装置に関し、特に、カートリッジ本体に収納したディスク状記録媒体を外方に臨ませる一部を内外周に亘って外方に臨ませる記録及び／又は再生用開口部を開閉するシャッタ部材を備えたディスクカートリッジと、記録及び／又は再生用開口部を開閉するシャッタ部材を備えることがなく、記録及び／又は再生用開口部を開放したままの状態のディスクカートリッジが選択的に装着されるディスク記録及び／又は再生装置に関する。
【背景技術】
【０００２】
従来、光ディスク等のディスク状記録媒体をカートリッジ本体に回転可能に収納し、ディスク状記録媒体をカートリッジ本体に収納したままの状態で記録及び／又は再生装置に装着されるディスクカートリッジが広く用いられている。この種のディスクカートリッジは、ディスク状記録媒体をカートリッジ本体に収納することにより、ディスク状記録媒体の保護を図り、ディスク記録及び／又は再生装置への装脱を容易に行うことを可能としている。
【０００３】
この種のディスクカートリッジにあっては、カートリッジ本体に収納した例えば光ディスクの信号記録領域の一部を、光ディスクの内外周に亘って外方に臨ませる記録及び／又は再生用開口部が設けられている。記録及び／又は再生用開口部には、ディスク記録及び／又は再生装置側に設けた記録再生手段を構成する光ピックアップ装置や磁気ヘッド装置が臨み、これら光ピックアップ装置及び／又は磁気ヘッド装置により光ディスクの信号記録領域を走査することによって、光ディスクに対する情報信号の記録又は再生が行われる。
【０００４】
ところで、カートリッジ本体に設けた記録及び／又は再生用開口部が開放されたままの状態に置かれると、ディスクカートリッジの保管時に塵埃がカートリッジ本体内に侵入し、光ディスクを汚損させ、さらにディスク記録及び／又は再生装置への装脱時等の取り扱い時に、カートリッジ本体内に侵入する異物により光ディスクを損傷させてしまうおそれがある。
【０００５】
このような問題点を解消するため、ディスクカートリッジには、記録及び／又は再生用開口部を開閉するシャッタ部材が設けられている。シャッタ部材が設けられることにより、ディスク記録及び／又は再生装置に装着されない保管時等において、記録及び／又は再生用開口部がシャッタ部材により閉塞された状態に置かれるので、カートリッジ本体に収納した光ディスクの確実な保護を図ることができる。
【０００６】
ところで、ディスク状記録媒体、特に、光学手段を用いて情報の記録又は再生を行うようにした光ディスクにあっては、高記録密度化が図られるとともに、高容量化が図られている。その結果、光ディスクにあっては、小型化を図りながら高容量化を実現し、人の掌に乗る程度に小型化されたものが提案されている。本願出願人は、この種の光ディスクを収納したディスクカートリッジとして、特願２００４−１４０４９１号の明細書及び図面（特許文献１）において提案している。
【０００７】
【特許文献１】特願２００４−１４０４９１号の明細書及び図面
【発明の開示】
【発明が解決しようとする課題】
【０００８】
光ディスクを収納したディスクカートリッジにあっては、小型化が図られたものであっても、カートリッジ本体に収納した光ディスクの保護を図るため、カートリッジ本体に設けた記録及び／又は再生用開口部を閉塞するためのシャッタ部材を設けることが望ましい。
【０００９】
しかし、シャッタ部材を設けることにより、ディスクカートリッジの製造が複雑となり、さらには部品点数の増加により、組み立てが困難となるばかりか、製造コストが増加してしてしまう。
【００１０】
また、光ディスクを収納したディスクカートリッジにあっては、記録及び／又は再生用開口部をシャッタ部材により閉塞してまで光ディスクの保護を図る必要のないものもある。例えば、再生専用型の光ディスクにあっては、記録型の光ディスクのように極めて高いレベルで塵埃等からの保護が要求されないものもある。
【００１１】
シャッタ部材を設けることなく、記録及び／又は再生用開口部を開放したディスクカートリッジにあっては、ディスク記録及び／又は再生装置に装着されない保管時には、収納ケースに収納することによって、ディスクカートリッジに収納した光ディスクの保護を図ることもできる。
【００１２】
そこで、光ディスク等のディスク状記録媒体を収納したディスクカートリッジにあっては、一のディスク記録及び／又は再生装置に選択的に装着されながら、一方のディスクカートリッジにはシャッタ部材が設けられ、他方のディスクカートリッジにはシャッタ部材が設けられないものが並存することが想定される。
【００１３】
シャッタ部材が設けられたディスクカートリッジが装着されるディスク記録及び／又は再生装置には、シャッタ部材の移動を規制し、シャッタ部材を記録及び／又は再生用開口部を開放した位置に保持し、あるいは、ディスクカートリッジに設けられたシャッタ部材を記録及び／又は再生用開口部を閉塞した位置にロックするシャッタ部材ロック機構のロックを解除するシャッタ部材支持機構が設けられる。この種のシャッタ部材支持機構は、弾性力等を用いてシャッタ部材を押圧支持して移動を規制し、記録及び／又は再生用開口部を開放した状態に維持するようにしている。
【００１４】
シャッタ部材を備えたディスクカートリッジは、ディスク記録及び／又は再生装置に装着されるときに、シャッタ部材支持機構により押圧支持されているので、安定した状態でカートリッジホルダに保持されて装着させることが可能となる。
【００１５】
一方、シャッタ部材を備えることなく記録及び／又は再生用開口部が開放された状態にあるディスクカートリッジは、シャッタ部材支持機構により押圧支持されるようなシャッタ部材が設けられていないので、十分な支持が図られないままカートリッジホルダに挿入されることになり、確実にしかも安定した状態でカートリッジホルダに装着することができなくなる。
【００１６】
そこで、本発明の目的は、シャッタ部材を備えたディスクカートリッジ及びシャッタ部材が設けられていないディスクカートリッジのいずれが装着された場合であっても、安定した装着を実現できるディスク記録及び／又は再生装置を提供することにある。
【００１７】
また、本発明の他の目的は、シャッタ部材を備えたディスクカートリッジ及びシャッタ部材が設けられていないディスクカートリッジのいずれが装着された場合であっても、ほぼ同一の負荷を与えて支持できるディスク状記録媒体の記録又は再生を行うことができるディスク記録及び／又は再生装置を提供することにある。
【課題を解決するための手段】
【００１８】
本発明は、ディスク状記録媒体を回転可能に収納され、ディスク状記録媒体の一部を内外周に亘って外方に臨ませる記録及び／又は再生用開口部が、当該ディスク記録及び／又は再生装置への挿入方向と平行な一の側面側から中央部に向かって形成されたカートリッジ本体と、カートリッジ本体に移動可能に支持されて記録及び／又は再生用開口部を開閉するシャッタ部材とを備える第１のディスクカートリッジと、ディスク状記録媒体を回転可能に収納するとともに、ディスク状記録媒体の一部を内外周に亘って外方に臨ませる記録及び／又は再生用開口部が当該ディスク記録及び／又は再生装置への挿入方向と平行な一の側面側から中央部に向かって形成されたカートリッジ本体を備える第２のディスクカートリッジとが選択的に装着されるカートリッジホルダを備えるディスク記録及び／又は再生装置であり、カートリッジホルダに第１のディスクカートリッジが装着されたときには、シャッタ部材を押圧支持し、このシャッタ部材の移動を規制するシャッタ部材支持機構と、カートリッジホルダに第２のディスクカートリッジが装着されたとき、第２のディスクカートリッジを押圧して第２のディスクカートリッジに負荷を与える負荷付与機構と、シャッタ部材支持機構に関連され、カートリッジホルダに第１のディスクカートリッジが挿入されたときには、シャッタ部材支持機構の変位により移動操作されて負荷付与機構を変位させて第１のディスクカートリッジに付与される負荷を解除し、カートリッジホルダに第２のディスクカートリッジが挿入されたときには、負荷付与機構による負荷を第２のディスクカートリッジに付与させる負荷付与制御機構とを備える。
【００１９】
このディスク記録及び／又は再生装置に用いられるシャッタ部材支持機構としては、カートリッジホルダに挿入される第１のディスクカートリッジに設けたシャッタ部材により弾性変位される弾性部材からなるシャッタ部材支持片を備える。このシャッタ部材支持片は、カートリッジホルダに挿入されるディスクカートリッジにより押圧されて、ディスクカートリッジから離間する方向に弾性変位される。
【００２０】
また、負荷付与制御機構は、カートリッジホルダに挿入される第１又は第２のディスクカートリッジに応じて変位量を異にするシャッタ部材支持機構の変位量に応じて移動量が制御され、カートリッジホルダに挿入される第１又は第２のディスクカートリッジに付与される負荷を制御する。
【００２１】
本発明に係るディスク記録及び／又は再生装置に装着される第１のディスクカートリッジには、シャッタ部材が記録及び／又は再生用開口部を閉塞した位置にあるとき、シャッタ部材に設けた係合孔に係合し、このシャッタ部材を記録及び／又は再生用開口部を閉塞した位置にロックするシャッタロック機構を備えるものがある。このシャッタロック機構は、第１のディスクカートリッジがカートリッジホルダに挿入されたとき、シャッタ部材に設けた係合孔に係合するシャッタ部材支持機構により変位されてシャッタ部材への係合を解除し、シャッタ部材のカートリッジ本体に対する移動を可能とする。
【００２２】
さらに、本発明に係るディスク記録及び／又は再生装置は、カートリッジホルダに、上下面を反転して第１又は第２のディスクカートリッジが誤挿入されたとき、シャッタ部材支持機構が第１のディスクカートリッジに設けたシャッタ部材により変位され、シャッタ部材への係合により初期位置側に復帰する位置に対応して、誤挿入される第１又は第２のディスクカートリッジのカートリッジホルダへの更なる挿入を規制する誤挿入規制部を備える。
【発明の効果】
【００２３】
本発明に係るディスク記録及び／又は再生装置は、シャッタ部材を備えた第１のディスクカートリッジ又はシャッタ部材を備えることなく構成された第２のディスクカートリッジのいずれが挿入された場合であっても、シャッタ部材支持機構又は負荷付与機構によりディスクカートリッジを支持することができるので、安定した状態でカートリッジホルダに装着し保持することができる。
【００２４】
また、第１又は第２のディスクカートリッジのいずれかが装着されるとき、シャッタ部材支持機構又は負荷付与機構のいずれか一方により第１又は第２のディスクカートリッジが押圧支持されるので、いずれのディスクカートリッジが装着された場合であっても、ほぼ同一の負荷をディスクカートリッジに付与し、ディスクカートリッジの種類を問わず一定の条件でカートリッジホルダに装着して保持することができる。
【００２５】
さらに、誤挿入規制部を備えることにより、ディスクカートリッジの誤挿入が防止でき、誤挿入されるディスクカートリッジの保護を図り、さらには装置側のシャッタ部材支持機構、負荷付与機構等の機構部の保護を図ることができる。
【発明を実施するための最良の形態】
【００２６】
以下、本発明に係るディスク記録及び／又は再生装置を図面を参照して説明する。
【００２７】
本発明に係るディスク記録及び／又は再生装置は、光ディスクの如きディスク状記録媒体を収納したカートリッジ本体に設けた記録及び／又は再生用開口部を開閉するシャッタ部材を設けた第１のディスクカートリッジと、記録及び／又は再生用開口部を開閉するシャッタ部材を設けることなく構成された第２のディスクカートリッジが選択的に装着可能とされたものである。
【００２８】
本発明に係るディスク記録及び／又は再生装置の説明に先立って、この装置に選択的に装着される第１及び第２のディスクカートリッジを説明する。
【００２９】
第１のディスクカートリッジ１０１は、シャッタ部材１０２が設けられたディスクカートリッジであって、図１及び図２に示すように、上下一対のハーフ１０３，１０４を突き合わせ結合して形成したカートリッジ本体１０５を備え、このカートリッジ本体１０５内にディスク状記録媒体である光ディスク１０６を回転可能に収納している。
【００３０】
第１のディスクカートリッジ１０１は、例えばテレビジョンゲームを実行するプログラムデータやビデオデータが記録された光ディスク１０６を収納したものであり、しかも、極めて小型に構成されている。このディスクカートリッジ１０１は、例えば、直径を６０ｍｍ程度とする小径の光ディスク１０６を収納したものであって、片手の掌に収納し得る程度の大きさに形成されている。
【００３１】
なお、ここに示す第１のディスクカートリッジ１０１は、プログラムデータ等の情報信号が予め記録された再生専用型の光ディスク１０６を収納したものである。
【００３２】
第１のディスクカートリッジ１０１を構成するカートリッジ本体１０５は、図１及び図２に示すように、このディスクカートリッジ１０１が装着されるディスク記録及び／又は再生装置への挿入端側となる前面を円弧状部１０７として形成している。この円弧状部１０７は、カートリッジ本体１０５内に構成されたディスク収納部１０８に収納された光ディスク１０６の中心を中心として半径を一定にしたほぼ半円の円弧状に形成されている。すなわち、円弧状部１０７は、カートリッジ本体１０５に収納された光ディスク１０６の半円に相当する部分と対向するような半円として形成されている。
【００３３】
カートリッジ本体１０５の円弧状部１０７に連続する相対向する側面は、互いに平行な側面１０９，１１０として形成され、円弧状部１０７と対向する背面は、なだらかに湾曲して連続した背面部１１１として形成されている。すなわち、カートリッジ本体１０５の背面側は、カートリッジ本体１０５の前面側に構成された半円状の円弧状部１０７より大きな半径である円弧状部１０７より曲率が小さい背面部１１１とされている。
【００３４】
第１のディスクカートリッジ１０１は、挿入端側をほぼ半円の円弧状部１０７とし、更に円弧状部１０７と対向する背面も背面部１１１としているので、収納する光ディスク１０６に対し一層の小型化が実現されている。
【００３５】
そして、カートリッジ本体１０５の下面側を構成する下ハーフ１０４の中央部には、図２に示すように、カートリッジ本体１０５に収納した光ディスク１０６の中心部に形成したセンター穴１０６ａ及びその周縁を外方に臨ませる円形の中央開口部１１２が形成されている。中央開口部１１２には、このディスクカートリッジ１０１が装着されるディスク記録及び／又は再生装置側に設けられたディスク回転駆動機構の一部、例えばターンテーブルが進入する。
【００３６】
カートリッジ本体１０５の下面側を構成する下ハーフ１０４には、図２に示すように、記録及び／又は再生用開口部であるヘッド部用開口部１１３が形成されている。ヘッド部用開口部１１３は、カートリッジ本体１０５の一の側面１０９側に位置し、カートリッジ本体１０５に収納された光ディスク１０６の信号記録領域の一部を内外周に亘って外方に臨ませる足る大きさの矩形状に形成されている。すなわち、ヘッド部用開口部１１３は、カートリッジ本体１０５の円弧状部１０７が形成された前面以外の直線状の平坦な面とされた一の側面１０９に臨んで形成されている。また、ヘッド部用開口部１１３は、図２に示すように、下ハーフ１０４の一の側面１０９側は切り欠かれて開放されている。
【００３７】
そして、第１のディスクカートリッジ１０１には、図１及び図２に示すように、ヘッド部用開口部１１３を開閉するシャッタ部材１１５が移動可能に取り付けられている。シャッタ部材１１５は、ヘッド部用開口部１１３を閉塞する足る大きさの矩形状に形成した平板状のシャッタ部１１６と、シャッタ部１１６の基板部側に形成された断面コ字状に形成された支持部１１７とを備える。
【００３８】
シャッタ部材１１５は、シャッタ部１１６をヘッド部用開口部１１３上に延長し、カートリッジ本体１０５の一の側面１０９側に位置する上ハーフ１０３の一部を支持部１１７により支持して、ヘッド部用開口部１１３を開閉する図２中矢印Ａ方向及び矢印Ｂ方向に移動可能に取り付けられている。
【００３９】
また、シャッタ部材１１５には、後述するように、ディスク記録及び／又は再生装置側に設けられるシャッタ部材支持機構の一部が係合する係合孔１１８が設けられている。この係合孔１１８は、支持部１１７のカートリッジ本体１０５の一の側面１０９に対向する部分に形成されている。
【００４０】
さらに、本例の第１のディスクカートリッジ１０１には、ヘッド部用開口部１１３を閉塞した位置に移動されたシャッタ部材１１５の移動を規制するようにロックするシャッタ部材ロック機構１１９が設けられている。シャッタ部材ロック機構１１９は、カートリッジ本体１０５又は、シャッタ部材１１５に回動可能に支持されたロックレバー１２０を備える。このロックレバー１２０は、基端部側の枢支部１２０ａを中心にして、先端側に設けたロック部１２１がカートリッジ本体１０５の一の側面１０９側に突出するように図１中矢印Ｃ方向に回動付勢されている。ロックレバー１２０は、図１中矢印Ｃ方向に回動付勢されることにより、ヘッド部用開口部１１３を閉塞した位置に移動されたシャッタ部材１１５に設けた係合孔１１８にロック部１２１を係合させ、このシャッタ部材１１５をヘッド部用開口部１１３を閉塞した位置にロックしている。
【００４１】
シャッタ部材ロック機構１１９は、ロックレバー１２０が付勢部材の付勢力に抗して図１中反矢印Ｃ方向に回動され、ロック部１２１の係合孔１１８への係合が解除されることにより、シャッタ部材１１５のロックを解除し、ヘッド部用開口部１１３を開放する方向への移動を可能とする。
【００４２】
なお、シャッタ部材１１５を備えた第１のディスクカートリッジ１０１においては、ヘッド部用開口部１１３を閉塞する方向にシャッタ部材１１５を移動付勢する付勢部材が設けられるものもある。
【００４３】
また、カートリッジ本体１０５の一の側面１０９側には、ディスク記録及び／又は再生装置側に設けられるシャッタ部材移動操作片が進入する操作片進入溝１２２が設けられている。この操作片進入溝１２２は、図１に示すように、円弧状部１０７とされた前面側を開放して一の側面１０９に沿って形成されている。
【００４４】
そして、カートリッジ本体１０５のシャッタ部材１１５が支持され一の側面１０９に対向する他の側面１１０側には、第１のディスクカートリッジ１０１が上下面を反転させてディスク記録及び／又は再生装置に装着される誤挿入を防止する誤挿入防止溝１２３が設けられている。この誤挿入防止溝１２３は、図１に示すように、円弧状部１０７とされた前面側を開放して一の側面１１０に沿って、この側面１１０の途中まで形成されている。
【００４５】
この第１のディスクカートリッジ１０１は、上下面を反転させてディスク記録及び／又は再生装置に挿入されたような場合に、誤挿入防止片として機能するシャッタ部材移動操作片が誤挿入防止溝１２３に進入し係合することによって、装置内への更なる挿入が規制される。
【００４６】
上述したようにシャッタ部材１１５を備える第１のディスクカートリッジ１０１と選択的に本発明に係るディスク記録及び／又は再生装置に装着される第２のディスクカートリッジ２０１を、図３及び図４を参照して説明する。
【００４７】
第２のディスクカートリッジ２０１は、シャッタ部材を設けることなくヘッド部用開口部を開放したままに構成したものである。第２のディスクカートリッジ２０１は、第１のディスクカートリッジ１０１と外形形状を共通にして形成されることにより、第１のディスクカートリッジ１０１が装着されるディスク記録及び／又は再生装置に選択的に装着可能とされている。そして、第２のディスクカートリッジ２０１は、その他の基本的な構成も上述した第１のディスクカートリッジ１０１と共通にする。したがって、以下の説明では、共通する部分には共通の符号を付して詳細な説明は省略する。
【００４８】
シャッタ部材を設けることなく構成された第２のディスクカートリッジ２０１も前述した第１のディスクカートリッジ１０１と同様に、図３及び図４に示すように、上下一対のハーフ１０３，１０４を突き合わせ結合したカートリッジ本体１０５を備え、このカートリッジ本体１０５内に光ディスク２０６を回転可能に収納している。
【００４９】
このディスクカートリッジ２０１においても、カートリッジ本体１０５の下面側を構成する下ハーフ１０４の中央部には、図４に示すように、カートリッジ本体１０５に収納した光ディスク１０６の中心部に形成したセンター穴１０６ａ及びその周縁を外方に臨ませる円形の中央開口部１１２が形成されている。
【００５０】
また、下ハーフ４には、図４に示すように、記録及び／又は再生用開口部を構成するヘッド部用開口部２１３が形成されている。このヘッド部用開口部２１３も、第１のディスクカートリッジ１０１に形成したヘッド部用開口部１１３と同様に、カートリッジ本体１０５の一の側面１０９側に位置し、中央開口部１１２に近接した位置から一の側面１０９に亘って矩形状に形成されている。このヘッド部用開口部２１３も、図４に示すように、一の側面１０９側に位置するカートリッジ本体１０５の外周縁側を開放して形成されている。
【００５１】
そして、第２のディスクカートリッジ２０１は、シャッタ部材を設けることなく構成されているので、第１のディスクカートリッジ１０１のように、シャッタ部材を支持するための溝部等を設けることなく構成されている。
【００５２】
第２のディスクカートリッジ２０１においても、カートリッジ本体１０５の一の側面１０９には、ディスク記録及び／又は再生装置側に設けられるシャッタ部材移動操作片が進入する操作片進入溝１２２が設けられている。これは、シャッタ部材１１５を設けた第１のディスクカートリッジ１０１の装着を可能としたディスク記録及び／又は再生装置側に設けたシャッタ部材移動操作片との干渉を防止して、この装置への挿入を可能とするものである。
【００５３】
ところで、第２のディスクカートリッジ２０１は、ヘッド部用開口部２１３を閉塞するシャッタ部材を備えることなく構成されているので、後述するように、ディスク記録及び／又は再生装置に装着されたとき、シャッタ部材支持機構からの負荷を受けることがない。
【００５４】
また、第２のディスクカートリッジ２０１には、ディスク記録及び／又は再生装置に装着されたとき、シャッタ部材支持機構からの押圧付勢力を回避するための押圧力回避部２０２が設けられている。押圧力回避部２０２は、図４に示すように、第２のディスクカートリッジ２０１がディスク記録及び／又は再生装置内の所定装着位置に装着されたとき、シャッタ部材支持機構の一部が進入可能な位置に設けられている。
【００５５】
押圧力回避部２０２は、カートリッジ本体１０５の一の側面１０９の下ハーフ１０４側の部分に凹部として形成されている。この押圧力回避部２０２は、シャッタ部材支持機構からの押圧力を回避するためのものであるので、シャッタ部材支持機構の一部がカートリッジ本体１０５に接触しないようにするための形状及び深さを有する凹部として形成されている。
【００５６】
また、第２のディスクカートリッジ２０１においても、第１のディスクカートリッジ１０１と同様に、カートリッジ本体１０５の一の側面１０９に対向する他の側面１１０側に、この第２のディスクカートリッジ２０１が上下面を反転させてディスク記録及び／又は再生装置に装着される誤挿入を防止する誤挿入防止溝１２３が設けられている。
【００５７】
次に、上述のように構成された第１及び第２のディスクカートリッジ１０１，２０１が選択的に装着可能とされたディスク記録及び／又は再生装置を説明する。
このディスク記録及び／又は再生装置５０は、図５及び図６に示すように、第１及び第２のディスクカートリッジ１０１，２０１のいずれかが選択的に装着されるディスクドライブ部５１を備える。ディスクドライブ部５１には、第１及び第２のディスクカートリッジ１０１，２０１に収納された光ディスク１０６又は２０６に対し情報信号の記録を行い又は記録された情報信号の再生を行う記録及び／又は再生部が内蔵されている。
【００５８】
ディスクドライブ部５１の表面側には、図５に示すように、光ディスク１０６又は２０６から再生された画像データや文字データを表示するディスプレイ部５２が設けられている。
【００５９】
また、ディスクドライブ部５１には、第１又は第２のディスクカートリッジ１０１，２０１を記録及び／又は再生部に装着するためのローディング機構が設けられている。ローディング機構１は、後述するように、第１又は第２のディスクカートリッジ１０１，２０１を保持し、記録及び／又は再生部に装着させるためのカートリッジホルダ２が設けられている。このカートリッジホルダ２は、第１又は第２のディスクカートリッジ１０１，２０１の挿脱を行う位置と、ディスクドライブ部５１内に設けられた記録及び／又は再生部に光ディスク１０６，２０６を装着させる位置との間に亘って移動するようにベースに支持されている。
【００６０】
ディスクドライブ部５１には、カートリッジホルダ２を覆うカバー５３が設けられている。カバー６３は、カートリッジホルダ２が第１又は第２のディスクカートリッジ１０１，２０１を記録及び／又は再生部に装着する位置に回動されたとき、カートリッジホルダ２を覆ってディスクドライブ部５１を閉塞する。
【００６１】
なお、ディスクドライブ部５１には、図示しないが、カートリッジホルダ２に保持されたディスクカートリッジ１０１，２０１をイジェクト操作するためのイジェクトボタンが設けられている。
【００６２】
そして、ディスクドライブ部５１のディスプレイ部５２が設けられた表面側の両側には、記録及び／又は再生部により再生されるプログラムを実行するための複数の操作ボタン５６，５７が設けられ、さらに、ディスプレイ部５２に表示される画像をスクロールするための制御キー５８が設けられている。
【００６３】
さらに、ディスクドライブ部５１には、図示はしないが、ディスクドライブ部を制御するための記録又は再生を制御するための制御ボタンや電源スイッチ操作ボタン等が設けられている。
上述したディスク記録及び／又は再生装置に設けられる記録及び／又は再生部に第１又は第２のディスクカートリッジ１０１，２０１を装着するためのローディング機構を具体的に説明する。
【００６４】
このローディング機構１は、図７に示すように、第１又は第２のディスクカートリッジ１０１，２０１を保持し、これらディスクカートリッジ１０１，２０１に収納された光ディスク１０６，２０６を記録及び／又は再生部に装着させるためのカートリッジホルダ２を備える。カートリッジホルダ２は、図示はしないが、記録及び／又は再生部が設けられたベース上に位置して設けられている。このカートリッジホルダ２は、第１又は第２のディスクカートリッジ１０１，２０１の挿脱を行う位置とベースに設けられた記録及び／又は再生部に光ディスク１０６，２０６を装着させる位置との間に亘って移動するようにベースに支持されている。
【００６５】
カートリッジホルダ２は、第１又は第２のディスクカートリッジ１０１，２０１の挿脱を行うためのカートリッジ挿脱口３を有し、このカートリッジ挿脱口３から挿入された第１又は第２のディスクカートリッジ１０１，２０１を保持し、装置内のカートリッジ装着部に装着し、第１又は第２のディスクカートリッジ１０１，２０１に収納した光ディスク１０６，２０６を記録及び／又は再生部に装着させる。
【００６６】
そして、カートリッジホルダ２の一の側面には、第１のディスクカートリッジ１０１が挿入されたとき、このディスクカートリッジ１０１に設けたシャッタ部材１１５に係合し、シャッタ部材１１５の移動を規制するシャッタ部材支持機構５が設けられている。シャッタ部材支持機構５は、図７に示すように、弾性部材である板バネにより形成されたシャッタ部材支持片６を備える。このシャッタ部材支持片６の先端側には、カートリッジホルダ２に挿入される第１又は第２のディスクカートリッジ１０１，２０１により押圧操作され、第１のディスクカートリッジ１０１に設けたシャッタ部材１１５に形成した係合孔１１８に係合する突部として形成された押圧操作部７が設けられている。
【００６７】
シャッタ部材支持片６は、図７に示すように、先端側の押圧操作部７をカートリッジ挿脱口３側に位置させて、基端部側をカートリッジホルダ２の一の側面に固定して取り付けられている。なお、シャッタ部材支持片６は、押圧操作部７をカートリッジホルダ２内に突出させるようにしてカートリッジホルダ２の一の側面の外方側に取り付けられている。このシャッタ部材支持片６は、カートリッジホルダ２に挿入される第１又は第２のディスクカートリッジ１０１，２０１により押圧操作部７が押圧されることにより、カートリッジホルダ２に固定された基端部を中心にして図７中矢印Ｅ方向のカートリッジホルダ２から離間する方向に弾性変位される。
【００６８】
ところで、シャッタ部材支持片６は、カートリッジホルダ２に第１のディスクカートリッジ１０１が挿入されたときには、少なくとも第２のディスクカートリッジ２０１が挿入されたときより大きく変位される。すなわち、カートリッジホルダ２に第１のディスクカートリッジ１０１が挿入されたときには、後述するように、押圧操作部７がヘッド部用開口部１１３を閉塞するシャッタ部材１１５上に乗り上げていくため、シャッタ部材が設けられることなく構成された第２のディスクカートリッジ２０１が挿入されたときより大きく変位するためである。
【００６９】
そして、シャッタ部材支持片６は、カートリッジホルダ２に第１のディスクカートリッジ１０１が挿入されたとき、第１のディスクカートリッジ１０１に設けたシャッタ部材１１５上に乗り上げて弾性変位され、その後、さらに第１のディスクカートリッジ１０１がカートリッジホルダ２に挿入されることによりシャッタ部材１１５に設けた係合孔１１８に押圧操作部７を係合させるように弾性復帰してシャッタ部材１１５を支持し、カートリッジ本体１０５に対する移動を規制する。
【００７０】
また、押圧操作部７は、シャッタ部材ロック機構１１９を設けた第１のディスクカートリッジ１０１がカートリッジホルダ２に挿入されたときには、係合孔１１８に係合するとき、ロック部１２１を押圧し、ロックレバー１２０を図１中反矢印Ｃ方向に回動させてシャッタ部材１１５のロックを解除し、カートリッジ本体１０５に対する移動を可能とする。
【００７１】
カートリッジホルダ２のシャッタ部材支持機構５が設けられた一の側面には、第１又は第２のディスクカートリッジ１０１，２０１に設けた操作片進入溝１２２に進入するシャッタ部材移動操作片８が設けられている。
【００７２】
なお、シャッタ部材移動操作片８は、シャッタ部材支持機構５の押圧操作部７よりカートリッジホルダ２の内方に位置して設けられている。
【００７３】
そして、シャッタ部材移動操作片８は、第１のディスクカートリッジ１０１がカートリッジホルダ２に挿入されたとき、シャッタ部材１１５を支持し、カートリッジ本体１０５に対し相対移動させてヘッド部用開口部１１３を開放する。また、シャッタ部材移動操作片８は、第１又は第２のディスクカートリッジ１０１，２０１が上下面を反転させてカートリッジホルダ２に挿入されたときには、誤挿入防止溝１２３に係合して、第１又は第２のディスクカートリッジ１０１，２０１のカートリッジホルダ２へのさらなる進入を防止し、誤挿入を防止する。
【００７４】
さらに、本発明に係るディスク記録及び／又は再生装置には、カートリッジホルダ２に第２のディスクカートリッジ２０１が挿入されたとき、このディスクカートリッジ２０１に負荷を与える負荷付与機構１０が設けられている。この負荷付与機構１０は、図７に示すように、シャッタ部材支持機構５が設けられるカートリッジホルダ２の一の側面に対向する他方の側面側に位置して設けられている。負荷付与機構１０は、図７に示すように、支軸１１を中心に回動可能に支持された回動レバー１２を備える。回動レバー１２は、一端側にカートリッジホルダ２内に進入する負荷付与部１３が設けられている。
【００７５】
そして、本発明に係るディスク記録及び／又は再生装置には、カートリッジホルダ２に挿入されるディスクカートリッジの種類に応じて負荷付与機構１０の位置を制御し、負荷付与機構１０により、カートリッジホルダ２に挿入されるディスクカートリッジ１０１に負荷を付与し、又は負荷付与機構１０による負荷の付与を解除するように制御する負荷付与制御機構１５が設けられている。
【００７６】
すなわち、負荷付与制御機構１５は、シャッタ部材支持機構５に関連され、カートリッジホルダ２に第１のディスクカートリッジ１０１が挿入されたときに、シャッタ部材支持機構５の変位により移動操作されて負荷付与機構１０の位置を変位させて第１のディスクカートリッジ１０１に付与される負荷を解除し、カートリッジホルダ２に第２のディスクカートリッジ２０１が挿入されたときには、負荷付与機構１０による負荷を第２のディスクカートリッジ２０１に付与するように構成されている。
【００７７】
このような機能を有するように構成される負荷付与制御機構１５は、カートリッジホルダ２上に位置し、カートリッジホルダ２の一の側面側に配設されたシャッタ部材支持機構５と、カートリッジホルダ２の他方の側面側に配設された負荷付与機構１０との間に亘って配設された制御レバー１６を備える。制御レバー１６は、カートリッジホルダ２に設けられた複数のスライドガイド軸１７に長孔として形成されたスライドガイド孔１８を係合させ、シャッタ部材支持機構５と負荷付与機構１０との間を移動するように取り付けられている。すなわち、制御レバー１６は、図７中矢印Ｇ方向及び矢印Ｈ方向に移動可能にカートリッジホルダ２に取り付けられている。
【００７８】
制御レバー１６の一端側には、シャッタ部材支持機構５のシャッタ部材支持片６に関連される制御レバー移動操作片１９が設けられている。制御レバー移動操作片１９は、制御レバー１６の一端部を折り曲げて形成され、シャッタ部材支持片６の押圧操作部７が設けられた先端側に重なるように関連されている。
【００７９】
また、制御レバー１６の他端側には、負荷付与機構１０を構成する回動レバー１２の他端部が連結されている。回動レバー１２は、他端部に設けた連結ピン２０を制御レバー１６の他端側に長孔として形成した連結孔２１に係合させて取り付けられている。このように制御レバー１６に連結された回動レバー１２は、制御レバー１６が、図７中矢印Ｇ方向又は矢印Ｈ方向に移動することにより、支軸１１を中心にして図７中矢印Ｋ方向又は矢印Ｌ方向に回動される。
【００８０】
ところで、制御レバー１６は、この制御レバー１６とカートリッジホルダ２との間に張設された引っ張りバネ２２により、図７中矢印Ｈ方向の制御レバー移動操作片１９がシャッタ部材支持片６上に圧接する方向に移動付勢されている。すなわち、制御レバー１６は、押圧操作部７がカートリッジホルダ２内に突出ようにシャッタ部材支持片６の先端側を押圧支持している。
【００８１】
そして、制御レバー１６が図７中矢印Ｈ方向に移動付勢されることにより、回動レバー１２は、支軸１１を中心に図７中矢印Ｌ方向の負荷付与部１３をカートリッジホルダ２内に突出させる方向に回動付勢される。その結果、負荷付与制御機構１５は、回動付勢された回動レバー１２により、カートリッジホルダ２に挿入されるディスクカートリッジ１０１を押圧して負荷を付与することができる。
【００８２】
また、制御レバー１６は、カートリッジホルダ２に第１のディスクカートリッジ１０１が挿入され、このディスクカートリッジ１０１に設けられたシャッタ部材１１５によりシャッタ部材支持片６が図７中矢印Ｅ方向に弾性変位されると、シャッタ部材支持片６の先端部で制御レバー移動操作片１９が押圧され、引っ張りバネ２２の付勢力に抗して図７中矢印Ｇ方向に移動される。制御レバー１６が図７中矢印Ｇ方向に移動されると、回動レバー１２は、支軸１１を中心に図７中矢印Ｋ方向の負荷付与部１３をカートリッジホルダ２内から離脱させる方向に回動され、カートリッジホルダ２に挿入される第１のディスクカートリッジ１０１に対し負荷を与える状態を解除する。
【００８３】
このように、負荷付与制御機構１５は、シャッタ部材支持機構５の変位量の違いにより、負荷付与機構１０を制御し、カートリッジホルダ２に挿入されるディスクカートリッジ１０１，２０１に負荷を与えるか否かを選択する。したがって、カートリッジホルダ２に挿入される第１又は第２のディスクカートリッジ１０１，２０１により、シャッタ部材支持機構５の変位量が可変されることにより、カートリッジホルダ２に挿入される第１又は第２のディスクカートリッジ１０１，２０１に応じて負荷を付与するか否かの選択が行われる。
【００８４】
また、本発明に係るディスク記録及び／又は再生装置には、カートリッジホルダ２に挿入される第１又は第２のディスクカートリッジ１０１，２０１に応じて変位量を異にするシャッタ部材支持機構５の変位量に応じて移動位置が可変される負荷付与制御機構１５の制御レバー１６を各移動位置を固定する制御レバーロック機構２５が設けられている。
【００８５】
制御レバーロック機構２５は、カートリッジホルダ２上に取り付けられ、カートリッジホルダ２に挿入される第１又は第２のディスクカートリッジ１０１，２０１により押圧されてスライドするスライドレバー２６と、このスライドレバー２６に設けた係合突起２７が選択的に係合する第１及び第２の係合溝２８，２９とからなる。
【００８６】
スライドレバー２６は、カートリッジホルダ２上に移動可能に取り付けられる。すなわち、スライドレバー２６は、カートリッジホルダ２に設けられた一対のスライドガイド軸３１，３１に長孔として形成されたスライドガイド孔３２，３２を係合させ、カートリッジホルダ２に対する第１又は第２のディスクカートリッジ１０１，２０１の挿脱方向に移動可能に取り付けられている。このスライドレバー２６の一端側には、カートリッジホルダ２に挿入される第１又は第２のディスクカートリッジ１０１，２０１の挿入端側によって押圧操作される押圧操作片３３が設けられている。押圧操作片３３は、第１又は第２のディスクカートリッジ１０１，２０１のカートリッジホルダ２への挿入端側となる円弧状部１０７に対応する円弧状に形成されている。そして、スライドレバー２６は、カートリッジホルダ２との間に張設された引っ張りバネ３４により図７中矢印Ｍ方向の第１又は第２のディスクカートリッジ１０１，２０１をカートリッジホルダ２に挿入する方向とは逆方向の排出する方向に移動付勢されている。
【００８７】
係合突起２７が選択的に係合する第１及び第２の係合溝２８，２９は、制御レバー１６の一部を切り欠くようにして形成されている。これら第１及び第２の係合溝２８，２９は、制御レバー１６の移動方向と直交するスライドレバー２６の移動方向に亘って形成されている。そして、第１の係合溝２８は、カートリッジホルダ２に第１のディスクカートリッジ１０１が挿入され、シャッタ部材１１５により押圧操作部７が押圧されてシャッタ部材移動操作片８が図７中矢印Ｅ方向に弾性変位され、制御レバー１６が図７中矢印Ｇ方向に移動したとき、スライドレバー２６に設けた係合突起２７と開口端が対向するように形成されている。また、第２の係合溝２９は、シャッタ部材移動操作片８が弾性変位されることなく制御レバー１６が初期位置あるとき、スライドレバー２６に設けた係合突起２７と開口端が対向するように形成されている。
【００８８】
なお、第１及び第２の係合溝２８，２９の基端部側は、係合突起２７が進入する一連に連続した溝部３０として形成されている。すなわち、第１及び第２の係合溝２８，２９は、溝部３０から分岐するように形成されている。
【００８９】
制御レバー１６は、カートリッジホルダ２に挿入される第１又は第２のディスクカートリッジ１０１，２０１によりスライドされるスライドレバー２６に設けた係合突起２７が第１又は第２の係合溝２８，２９に進入し係合することにより、シャッタ部材１１５により移動された位置又は初期位置に固定される。
【００９０】
また、本発明に係るディスク記録及び／又は再生装置には、カートリッジホルダ２に装着された第１又は第２のディスクカートリッジ１０１，２０１を、カートリッジホルダ２からイジェクトするためのイジェクトレバー３５が設けられている。イジェクトレバー３５は、支軸３６を中心に回動可能にベースに取り付けられている。そして、イジェクトレバー３５は、カートリッジホルダ２に挿入される第１又は第２のディスクカートリッジ１０１，２０１により押圧されて回動されることにより、このイジェクトレバー３５に関連されたバネ部材に、カートリッジホルダ２に装着された第１又は第２のディスクカートリッジ１０１，２０１をカートリッジホルダ２から排出する方向の力が蓄積される。イジェクトレバー３５は、バネ部材に蓄積されたバネ力が開放されて回動されることにより、カートリッジホルダ２に装着された第１又は第２のディスクカートリッジ１０１，２０１をイジェクトする。
【００９１】
上述したように構成された本発明に係るディスク記録及び／又は再生装置に第１又は第２のディスクカートリッジ１０１，２０１を装着する状態を説明する。
【００９２】
まず、シャッタ部材１１５が設けられた第１のディスクカートリッジ１０１を装着する状態を説明する。
【００９３】
第１のディスクカートリッジ１０１を装着するには、円弧状部１０７側を挿入端としてカートリッジ挿脱口３からカートリッジホルダ２に挿入する。
【００９４】
ここで用いる第１のディスクカートリッジ１０１は、カートリッジホルダ２への挿入端側が半円状の円弧状部１０７とされているので、カートリッジホルダ２への挿入初期の状態では、押圧操作部７が円弧状部１０７に対向し、第１のディスクカートリッジ１０１に接触することなく離間された状態にあり、シャッタ部材支持機構５は不作動状態にある。
【００９５】
そして、第１のディスクカートリッジ１０１が、図８に示すように、さらにカートリッジホルダ２の途中まで挿入されると、押圧操作部７がシャッタ部材１１５上に乗り上げていき、シャッタ部材支持片６が図８中矢印Ｅ方向に弾性変位される。シャッタ部材支持片６の弾性変位によって、制御レバー１６が図８中矢印Ｇ方向に移動される。制御レバー１６は、図８中矢印Ｇ方向に移動されることにより、負荷付与機構１０を構成する回動レバー１２を、支軸１１を中心にして図８中矢印Ｋ方向に回動し、負荷付与部１３をカートリッジホルダ２内から逃がし、カートリッジホルダ２に挿入された第１のディスクカートリッジ１０１に負荷を与えないように制御する。
【００９６】
このとき、スライドレバー２６は、第１のディスクカートリッジ１０１の円弧状部１０７によって押圧操作片３３が押圧され、図８に示すように、係合突起２７が制御レバー１６に設けた第１の係合溝２８の開口端に臨む位置までスライドされる。
【００９７】
さらに第１のディスクカートリッジ１０１をカートリッジホルダ２内に挿入していくと、図９に示すように、シャッタ部材支持片６の先端部に設けた押圧操作部７がシャッタ部材１１５に設けた係合孔１１８に係合する。すなわち、押圧操作部７がシャッタ部材１１５上に乗り上げて大きく弾性変位されていたシャッタ部材支持片６が初期位置側に弾性復帰し、押圧操作部７を係合孔１１８に係合させ、シャッタ部材１１５の移動を規制する。
【００９８】
なお、押圧操作部７が係合孔１１８に係合した状態にあるときも、第１のディスクカートリッジ１０１には、シャッタ部材支持片６からの押圧支持力が付与された状態に置かれている。すなわち、本例においては、押圧操作部７が係合孔１１８に係合した状態におかれたときにも、シャッタ部材支持片６が僅かに弾性変位された状態にあって、第１のディスクカートリッジ１０１を押圧支持している。
【００９９】
押圧操作部７が係合孔１１８に係合したとき、ロック部１２１が押圧操作部７により押圧され、ロックレバー１２０が図１中反矢印Ｃ方向に回動され、シャッタ部材１１５のロックを解除し、カートリッジ本体１０５に対し相対移動が可能な状態とする。
【０１００】
そして、押圧操作部７が係合孔１１８に係合まで第１のディスクカートリッジ１０１がカートリッジホルダ２に挿入されるとき、スライドレバー２６も第１のディスクカートリッジ１０１によって押圧されて挿入方向にスライドされ、図９に示すように、係合突起２７を第１の係合溝２８に係合させる。その結果、制御レバー１６は、シャッタ部材支持片６が初期位置側に弾性復帰しても、シャッタ部材支持片６によって移動された位置に固定される。制御レバー１６が図９中矢印Ｇ方向に移動された状態に固定されるので、負荷付与機構１０から第１のディスクカートリッジ１０１に負荷が付与されることが規制されている。
【０１０１】
押圧操作部７が係合孔１１８に係合した状態からさらに第１のディスクカートリッジ１０１をカートリッジホルダ２内に挿入していくと、図１０に示すように、シャッタ部材移動操作片８がカートリッジ本体１０５に設けた操作片進入溝１２２に進入していき、ロックが解除されたシャッタ部材１１５を押圧支持する。ここから、さらに第１のディスクカートリッジ１０１をカートリッジホルダ２に挿入していくと、シャッタ部材１１５に対しカートリッジ本体１０５が相対移動され、ヘッド部用開口部１１３が開放され、カートリッジホルダ２内の所定の装着位置に装着された状態となる。
【０１０２】
このとき、係合突起２７が第１の係合溝２８に係合された状態にあるので、制御レバー１６は、シャッタ部材支持片６によって移動された位置に固定され、負荷付与機構１０から第１のディスクカートリッジ１０１に負荷が付与されることが規制された状態とされている。
【０１０３】
また、シャッタ部材１１５は、押圧操作部７が係合孔１１８に係合し、シャッタ部材移動操作片８により押圧支持された状態に置かれるので、自由な移動が規制され、確実にヘッド部用開口部１１３を開放した位置に保持され、さらに、シャッタ部材ロック機構１１９を設けた第１のディスクカートリッジ１０１にあっては、ロック部１２１を係合孔１１８から離脱した位置に保持しておく。
【０１０４】
さらに、第１のディスクカートリッジ１０１がカートリッジホルダ２内の装着位置まで挿入されるとき、イジェクトレバー３５が支軸３６を中心にして、図１０中矢印Ｐ方向に回動され、このイジェクトレバー３５に関連されたバネ部材に付勢力が蓄積された状態になる。
【０１０５】
そして、カートリッジホルダ２に装着された第１のディスクカートリッジ１０１をイジェクトするには、ディスク記録及び／又は再生装置に設けたイジェクト操作機構を操作し、バネ部材に蓄積された付勢力を開放し、イジェクトレバー３５を図１１中矢印Ｑ方向に回動させる。イジェクトレバー３５が図１１中矢印Ｑ方向に回動すると、第１のディスクカートリッジ１０１は、イジェクトレバー３５に押圧され、カートリッジホルダ２から排出される方向に移動される。このとき、押圧操作部７が係合孔１１８に係合した状態にあるので、シャッタ部材１１５の移動が規制され、カートリッジ本体１０５のみがカートリッジホルダ２から排出される方向に移動し、図１１に示すように、ヘッド部用開口部１１３がシャッタ部材１１５により閉塞された状態となる。
【０１０６】
また、第１のディスクカートリッジ１０１が、イジェクトレバー３５により押圧されてカートリッジホルダ２からイジェクトされる位置に至るまで、第１の係合溝２８に係合突起２７が係合された状態にあるので、制御レバー１６は、シャッタ部材支持片６によって移動された位置に固定され、負荷付与機構１０から第１のディスクカートリッジ１０１に負荷が付与されることが規制された状態とされている。
【０１０７】
図１１に示すように、第１のディスクカートリッジ１０１がイジェクト位置に移動された後、カートリッジホルダ２から取り出すときには、押圧操作部７が係合孔１１８から離脱してシャッタ部材１１５上に乗り上げ、シャッタ部材支持片６を大きく変位させる。さらに、第１のディスクカートリッジ１０１をカートリッジホルダ２から引き出すと、押圧操作部７がシャッタ部材１１５上から離脱し、シャッタ部材支持片６が初期位置側に弾性復帰する。シャッタ部材支持片６の初期位置への弾性復帰により、図７に示すように、制御レバー１６も引っ張りバネ２２の付勢力を受けて初期位置に復帰し、さらに、負荷付与機構１０の回動レバー１２も、負荷付与部１３をカートリッジホルダ２内に突出させる初期位置に復帰する。また、制御レバーロック機構２５のスライドレバー２６も初期位置に復帰する。
【０１０８】
上述のように、本例のディスク記録及び／又は再生装置においては、カートリッジホルダ２に第１のディスクカートリッジ１０１が装着されたとき、負荷付与機構１０からの負荷が第１のディスクカートリッジ１０１に付与されないように制御されるので、第１のディスクカートリッジ１０１は、従来のディスク記録及び／又は再生装置に装着する場合と同様に、シャッタ部材支持機構５からの負荷を受けてカートリッジホルダ２に装着された状態に置かれる。
【０１０９】
次に、ヘッド部用開口部２１３を閉塞するシャッタ部材を設けることなく構成された第２のディスクカートリッジ２０１を装着する状態を説明する。
【０１１０】
第２のディスクカートリッジ２０１を装着するには、第１のディスクカートリッジ１０１を装着する場合と同様に、円弧状部１０７側を挿入端としてカートリッジ挿脱口３からカートリッジホルダ２に挿入する。
【０１１１】
第２のディスクカートリッジ２０１も、第１のディスクカートリッジ１０１と同様に、カートリッジホルダ２への挿入端側が半円状の円弧状部１０７とされているので、カートリッジホルダ２への挿入初期の状態では、押圧操作部７が円弧状部１０７に対向し、第１のディスクカートリッジ１０１に接触することなく離間された状態にあり、シャッタ部材支持機構５は不作動状態にある。
【０１１２】
そして、第２のディスクカートリッジ２０１にあっては、図１２に示すように、ヘッド部用開口部２１３に押圧操作部７が臨む位置まで挿入したときにおいても、押圧操作部７がヘッド部用開口部２１３側に突出することにより、シャッタ部材支持片６は弾性変位されることなく初期位置に置かれる。
【０１１３】
特に、ここで用いる第２のディスクカートリッジ２０１に設けられるヘッド部用開口部２１３の一の側面１０９側は開放されているので、ヘッド部用開口部２１３に臨む押圧操作部７に押圧力が加えられ、シャッタ部材支持片６が弾性変位されることはない。
【０１１４】
そして、第２のディスクカートリッジ２０１がカートリッジホルダ２に装着され、押圧操作部７がヘッド部用開口部２１３に対向する位置まで挿入されたときに、押圧操作部７の押圧操作が行われることがないので、シャッタ部材支持片６が弾性変位され、制御レバー１６を引っ張りバネ２２の付勢力に抗して移動することなく初期位置に置く。制御レバー１６が初期位置に置かれることから、負荷付与機構１０を構成する回動レバー１２は、制御レバー１６を付勢する引っ張りバネ２２の付勢力を受けて支軸１１を中心にして図１４中矢印Ｌ方向に回動された状態にあって、負荷付与部１３をカートリッジホルダ２内に突出させ、カートリッジホルダ２に挿入された第２のディスクカートリッジ２０１をカートリッジホルダ２の一の側面側に押圧し、この第２のディスクカートリッジ２０１に負荷を与えている。
【０１１５】
そして、第２のディスクカートリッジ２０１が、図１２に示すように、ヘッド部用開口部２１３を押圧操作部７に臨ませる位置まで挿入されるとき、スライドレバー２６も第２のディスクカートリッジ２０１の円弧状部１０７によって押圧操作片３３が押圧され、図１２に示すように、係合突起２７が制御レバー１６に設けた第２の係合溝２９の開口端に臨む位置までスライドされる。
【０１１６】
なお、本例の第２のディスクカートリッジ２０１は、押圧操作部７がヘッド部用開口部２１３に臨むようにカートリッジホルダ２内に挿入されるとき、押圧操作部７が円弧状部１０７側に位置する一の側面９上に一旦当接してからヘッド部用開口部２１３内に臨むようになる。このとき、シャッタ部材支持片６が僅かに弾性変位され、制御レバー１６が引っ張りバネ２２の付勢力に抗して図１３中矢印Ｇ方向に移動されるが、制御レバー１６は、制御レバーロック機構２５によりロックされることなく移動が可能な状態にあるので、さらに第２のディスクカートリッジ２０１がカートリッジホルダ２内に挿入され、押圧操作部７がヘッド部用開口部２１３に臨むようになると、引っ張りバネ２２の付勢力を受けて図１２中矢印Ｈ方向に移動し初期位置に保持される。その結果、回動レバー１２は、支軸１１を中心にして図１３中矢印Ｌ方向に回動された状態となり、負荷付与部１３をカートリッジホルダ２内に突出させ、カートリッジホルダ２に挿入された第２のディスクカートリッジ２０１をカートリッジホルダ２の一の側面側に押圧し、この第２のディスクカートリッジ２０１に負荷を与えた状態を維持する。
【０１１７】
さらに第２のディスクカートリッジ２０１をカートリッジホルダ２内に挿入していくと、スライドレバー２６も第２のディスクカートリッジ２０１によって押圧されて挿入方向にスライドされ、図１３に示すように、スライドレバー２６に設けた係合突起２７が第２の係合溝２９に係合していく。係合突起２７が第２の係合溝２９に係合すると、制御レバー１６は引っ張りバネ２２により図１４中矢印Ｈ方向に移動された初期位置に固定される。
【０１１８】
押圧操作部７がヘッド部用開口部２１３に臨む位置からさらに第２のディスクカートリッジ２０１がカートリッジホルダ２内に挿入されていくと、図１４に示すように、押圧操作部７がヘッド部用開口部２１３に臨む位置からカートリッジ本体１０５の一の側面１０９の背面部１１１側に位置する部分に乗り上げていく。このとき、押圧操作部７がカートリッジ本体１０５の一の側面１０９によって押圧されるので、シャッタ部材支持片６は図１４中矢印Ｅ方向に弾性変形するように押圧される。ここで、制御レバー１６に対し引っ張りバネ２２の付勢力に抗して図１４中矢印Ｇ方向に移動する力が付与されるが、制御レバー１６は、スライドレバー２６に設けた係合突起２７が第２の係合溝２９に係合しているので初期位置に移動された状態を維持する。
【０１１９】
ここで、押圧操作部７がカートリッジ本体１０５の一の側面１０９の背面部１１１側に位置する部分に乗り上げて押圧されて生ずるシャッタ部材支持片６の弾性変位は、弾性部材により形成されたシャッタ部材支持片６自体の変形、若しくは係合突起２７と第２の係合溝２９との間のクリアランスにより吸収される。その結果、制御レバー１６は、引っ張りバネ２２の付勢力に抗して図１４中矢印Ｇ方向に移動する力が付与されても初期位置に移動された状態を維持する。
【０１２０】
さらに第２のディスクカートリッジ２０１をカートリッジホルダ２内に挿入すると、図１５に示すように、押圧操作部７が一の側面１０９に形成した押圧力回避部２０２に進入し、図１４中矢印Ｅ方向に弾性変位されていたシャッタ部材支持片６が図１５に示すように弾性復帰する。このとき、第２のディスクカートリッジ２０１は、カートリッジホルダ２内の所定の装着位置に装着された状態となる。
【０１２１】
このとき、制御レバー１６は、引っ張りバネ２２の付勢力を受けて図１５中矢印Ｈ方向に移動され、回動レバー１２を支軸１１を中心にして図１５中矢印Ｌ方向に回動させ、負荷付与部１３をカートリッジホルダ２内に突出させ、負荷付与部１３によりカートリッジホルダ２に装着された第２のディスクカートリッジ２０１をカートリッジホルダ２の一の側面側に押圧した状態としている。
【０１２２】
このように、シャッタ部材支持機構５により押圧支持されるシャッタ部材１１５が設けられていない第２のディスクカートリッジ２０１が装着された場合であっても、この第２のディスクカートリッジ２０１は、負荷付与機構１０から負荷が付与された状態でカートリッジホルダ２に装着されるので、シャッタ部材１１５が設けられた第１のディスクカートリッジ１０１が装着された場合と同様に、負荷が付与されてカートリッジホルダ２に装着され、安定した装着が実現される。
【０１２３】
なお、押圧操作部７が押圧力回避部２０２に進入した装着位置まで第２のディスクカートリッジ２０１が挿入されるとき、第１のディスクカートリッジ１０１を装着したときと同様に、イジェクトレバー３５が支軸３６を中心にして、図１５中矢印Ｐ方向に回動され、このイジェクトレバー３５に関連されたバネ部材に付勢力が蓄積された状態になる。
【０１２４】
ところで、押圧操作部７がカートリッジ本体１０５の一の側面１０９の背面部１１１側に位置する部分に乗り上げてシャッタ部材支持片６を弾性変形させるときの変形量を小さくするため、押圧操作部７が乗り上げる部分に凹部を設けるようにしてもよい。
【０１２５】
図１５に示すようにカートリッジホルダ２に装着された第２のディスクカートリッジ２０１をイジェクトするためには、ディスク記録及び／又は再生装置に設けたイジェクト操作機構を操作し、バネ部材に蓄積された付勢力を開放し、イジェクトレバー３５を図１６中矢印Ｑ方向に回動させる。イジェクトレバー３５が図１６中矢印Ｑ方向に回動すると、第２のディスクカートリッジ２０１は、イジェクトレバー３５に押圧され、カートリッジホルダ２から排出される方向に移動される。
【０１２６】
そして、第２のディスクカートリッジ２０１が、イジェクトレバー３５により押圧されて、図１６に示すように、カートリッジ本体１０５の背面部１１１側をカートリッジホルダ２からイジェクトされる位置に移動されるまで、スライドレバー２６に設けた係合突起２７が第２の係合溝２９に係合している。係合突起２７が第２の係合溝２９に係合していることにより、制御レバー１６は初期位置に移動された状態を維持する。制御レバー１６が初期位置にあることにより、第２のディスクカートリッジ２０１は負荷付与機構１０により押圧支持され負荷が与えられた状態にある。したがって、第２のディスクカートリッジ２１０は、イジェクトレバー３５により押圧されてイジェクト位置に移動されるまで負荷が与えられるので、カートリッジホルダ２からの急峻な飛び出しが防止される。
【０１２７】
イジェクト位置に移動された第２のディスクカートリッジ２０１は、カートリッジ本体１０５の背面部１１１を把持してカートリッジホルダ２から取り出すことができる。
【０１２８】
上述したように、本発明に係るディスク記録及び／又は再生装置は、シャッタ部材１１５を備えた第１のディスクカートリッジ１０１又はシャッタ部材１１５を備えることなく構成された第２のディスクカートリッジ２０１のいずれがカートリッジホルダ２に装着された場合であっても、シャッタ部材支持機構５又は負荷付与機構１０によりディスクカートリッジ１０１，２０１を支持することができるので、安定した状態でカートリッジホルダ２に装着し保持することができる。
【０１２９】
また、第１又は第２のディスクカートリッジ１０１，２０１のいずれかがカートリッジホルダ２に装着されるとき、シャッタ部材支持機構５又は負荷付与機構１０のいずれか一方により第１又は第２のディスクカートリッジ１０１，２０１が押圧支持されるので、いずれのディスクカートリッジ１０１，２０１が装着された場合であっても、ほぼ同一の負荷をディスクカートリッジ１０１，２０１に付与し、ディスクカートリッジ１０１，２０１の種類を問わず一定の条件でカートリッジホルダ２に装着して保持することができる。
【０１３０】
また、本発明に係るディスク記録及び／又は再生装置においては、第１又は第２のディスクカートリッジ１０１，２０１が上下面を反転してカートリッジホルダ２に挿入されると、シャッタ部材移動操作片８がカートリッジ本体１０５に設けた誤挿入防止溝１２３に進入して係合することにより、第１又は第２のディスクカートリッジ１０１，２０１のカートリッジホルダ２内へのさらなる挿入が防止され、カートリッジホルダ２への誤挿入が防止される。
【０１３１】
上述した本発明に係るディスク記録及び／又は再生装置は、シャッタ部材１１５を備えた第１のディスクカートリッジ１０１が装着されたときには、シャッタ部材支持機構５により第１のディスクカートリッジ１０１を押圧支持し、シャッタ部材を備えることなく構成された第２のディスクカートリッジ２０１が装着されたときには、負荷付与機構１０から負荷を付与して第２のディスクカートリッジ２０１を押圧支持するようにしているので、いずれのディスクカートリッジ１０１，２０１が装着された場合であって、カートリッジホルダ２に確実に装着して支持して置くことができる。
【０１３２】
また、第１又は第２のディスクカートリッジ１０１，２０１が装着されたときには、
シャッタ部材支持機構５又は負荷付与機構１０のいずれか一方により装着されたディスクカートリッジ１０１，２０１を支持するので、第１又は第２のディスクカートリッジ１０１，２０１のいずれかが装着された場合であっても、ほぼ同一の負荷を付与して一定の条件でカートリッジホルダ２に装着して保持することができる。
【０１３３】
なお、本発明に係るディスク記録及び／又は再生装置に装着される第２のディスクカートリッジ２０１は、カートリッジホルダ２に装着されたとき、装置側に設けられるシャッタ部材支持機構５からの負荷を受けないように構成されたものであれば、上述の例に限られるものではない。したがって、本発明に用いられるディスクカートリッジは、挿入端側を半円状に構成したものに限られるものではなく、矩形状に形成されたものであってもよい。
【図面の簡単な説明】
【０１３４】
【図１】本発明に係るディスク記録及び／又は再生装置に装着される第１のディスクカートリッジを上ハーフ側から見た斜視図である。
【図２】第１のディスクカートリッジを下ハーフ側から見た斜視図である。
【図３】本発明に係るディスク記録及び／又は再生装置に装着される第２のディスクカートリッジを上ハーフ側から見た斜視図である。
【図４】第２のディスクカートリッジを下ハーフ側から見た斜視図である。
【図５】本発明に係るディスク記録及び／又は再生装置の一例をディスプレイ側から見た斜視図である。
【図６】ディスク記録及び／又は再生装置の一例をカートリッジホルダを設けた側から見た斜視図である。
【図７】本発明に係るディスク記録及び／又は再生装置を構成するカートリッジホルダを含むディスクカートリッジのローディング機構を示す平面図である。
【図８】カートリッジホルダに第１のディスクカートリッジを挿入した状態を示す平面図である。
【図９】シャッタ部材支持機構を第１のディスクカートリッジに設けたシャッタ部材に係合させた状態を示す平面図である。
【図１０】第１のディスクカートリッジをカートリッジホルダに装着した状態を示す平面図である。
【図１１】カートリッジホルダに装着された第１のディスクカートリッジをイジェクトした状態を示す平面図である。
【図１２】カートリッジホルダに第２のディスクカートリッジを挿入した状態を示す平面図である。
【図１３】第２のディスクカートリッジをカートリッジホルダの途中まで挿入した状態を示す平面図である。
【図１４】第２のディスクカートリッジをカートリッジホルダにさらに挿入した状態を示す平面図である。
【図１５】第２のディスクカートリッジをカートリッジホルダに装着した状態を示す平面図である。
【図１６】カートリッジホルダに装着された第２のディスクカートリッジをイジェクトした状態を示す平面図である。
【符号の説明】
【０１３５】
１０１  第１のディスクカートリッジ、  １１５  シャッタ部材、  １１８  係合孔、  ２０１  第２のディスクカートリッジ、  ２  カートリッジホルダ、  ５  シャッタ部材支持機構、  ６  シャッタ部材支持片、  ７  押圧操作部、  １０  負荷付与機構、  １２  回動レバー、  １３  負荷付与部、  １５  負荷付与制御機構、  １６  制御レバー、  ２５  制御レバーロック機構、  ２７  係合突起、  ２８  第１の係合溝、  ２９  第２の係合溝
【図１】
2006172520.tif 000003
【図２】
2006172520.tif 000004
【図３】
2006172520.tif 000005
【図４】
2006172520.tif 000006
【図５】
2006172520.tif 000007
【図６】
2006172520.tif 000008
【図７】
2006172520.tif 000009
【図８】
2006172520.tif 000010
【図９】
2006172520.tif 000011
【図１０】
2006172520.tif 000012
【図１１】
2006172520.tif 000013
【図１２】
2006172520.tif 000014
【図１３】
2006172520.tif 000015
【図１４】
2006172520.tif 000016
【図１５】
2006172520.tif 000017
【図１６】
2006172520.tif 000018